(57)【要約】【課題】  プレビュー時の照明光と本撮影時の照明光が異なる場合に、撮影画像と同じ色味のプレビュー画像を確認できるようにすること。【解決手段】  互いに異なる複数の色温度の光を発光するストロボ装置（２０）と連動して撮影可能な撮像装置であって、入射光を光電変換して画像信号を出力する撮像素子（２）と、複数の色温度にそれぞれ対応する複数のホワイトバランス値を記憶する第１及び第２カスタムホワイトバランス値記憶部（６，７）と、プレ撮影時には、プレ撮影で使用された光の色温度に対応する前記記憶手段に記憶されたホワイトバランス値を用い、本撮影時には、本撮影で使用された光の色温度に対応する前記記憶手段に記憶されたホワイトバランス値を用いて、撮像素子から出力された画像信号のホワイトバランス補正を行うホワイトバランス処理部（５）と、ホワイトバランス補正された画像を表示するモニタ（１９）とを有する。【選択図】  図３
2006303833.tif 000002
【特許請求の範囲】
【請求項１】
互いに異なる複数の色温度の光を発光する照明装置と連動して撮影可能な撮像装置であって、
入射光を光電変換して画像信号を出力する撮像手段と、
前記複数の色温度にそれぞれ対応する複数のホワイトバランス値を記憶する記憶手段と、
プレ撮影時には、プレ撮影で使用された光の色温度に対応する前記記憶手段に記憶されたホワイトバランス値を用い、本撮影時には、本撮影で使用された光の色温度に対応する前記記憶手段に記憶されたホワイトバランス値を用いて、前記撮像手段から出力された画像信号のホワイトバランス補正を行うホワイトバランス補正手段とを有し、
前記ホワイトバランス補正手段によりホワイトバランス補正された画像信号を表示装置に出力することを特徴とする撮像装置。
【請求項２】
前記記憶手段は、前記複数のホワイトバランス値をそれぞれ記憶する複数の記憶部を有し、前記撮像装置は、
前記複数の記憶部間を切り替えて、いずれかの記憶部に記憶されたホワイトバランス値を前記ホワイトバランス補正手段に供給するスイッチ手段と、
前記複数の記憶部の内、撮影に用いられた光の色温度に対応するホワイトバランス値を記憶する記憶部を選択するように前記スイッチ手段を制御する制御手段と
を更に有することを特徴とする請求項１に記載の撮像装置。
【請求項３】
互いに異なる複数の色温度の光を発光する照明装置と連動して撮影可能な撮像装置であって、
入射光を光電変換して画像信号を出力する撮像手段と、
前記複数の色温度のうち、プレ撮影で用いられる光の色温度に対応するホワイトバランス値を記憶する記憶手段と、
プレ撮影時には、前記記憶手段に記憶されたホワイトバランス値を用い、本撮影時には、本撮影で得られた画像に基づいて得られたホワイトバランス値を用いて、前記撮像手段から出力された画像信号のホワイトバランス補正を行うホワイトバランス補正手段とを有し、
前記ホワイトバランス補正手段によりホワイトバランス補正された画像信号を表示装置に出力することを特徴とする撮像装置。
【請求項４】
前記撮像装置は前記表示装置を含み、
前記表示手段の周辺光の色温度を測定し、測定した色温度に応じたホワイトバランス値を検出する検出手段と、
前記検出されたホワイトバランス値を用いて、前記ホワイトバランス補正手段により補正された画像信号に対して更にホワイトバランス補正を行う表示ホワイトバランス補正手段とを更に有し、
前記表示手段は、前記表示ホワイトバランス補正手段により更に補正された画像信号を表示することを特徴とする請求項１乃至３のいずれかに記載の撮像装置。
【請求項５】
互いに異なる複数の色温度の光を発光する照明装置と連動して、入射光を光電変換して得られる画像信号を処理する画像処理方法であって、
前記複数の色温度にそれぞれ対応する複数のホワイトバランス値を記憶手段に記憶する記憶ステップと、
プレ撮影で使用された光の色温度に対応する前記記憶手段に記憶されたホワイトバランス値を用いて、得られた画像信号のホワイトバランス補正を行う第１のホワイトバランス補正ステップと、
前記第１のホワイトバランス補正ステップでホワイトバランス補正された画像信号を表示する第１の表示ステップと、
本撮影で使用された光の色温度に対応する前記記憶手段に記憶されたホワイトバランス値を用いて、得られた画像信号のホワイトバランス補正を行う第２のホワイトバランス補正ステップと、
前記第２のホワイトバランス補正ステップでホワイトバランス補正された画像信号を表示する第２の表示ステップと
を有することを特徴とする画像処理方法。
【請求項６】
互いに異なる複数の色温度の光を発光する照明装置と連動して、入射光を光電変換して得られる画像信号を処理する画像処理方法であって、
前記複数の色温度のうち、プレ撮影で用いられる光の色温度に対応するホワイトバランス値を記憶手段に記憶する記憶ステップと、
前記記憶手段に記憶されたホワイトバランス値を用いて、プレ撮影で得られた画像信号のホワイトバランス補正を行う第１のホワイトバランス補正ステップと、
前記第１のホワイトバランス補正ステップでホワイトバランス補正された画像信号を表示する第１の表示ステップと、
本撮影で得られた画像信号に基づいてホワイトバランス補正を行う第２のホワイトバランス補正ステップと、
前記第２のホワイトバランス補正ステップでホワイトバランス補正された画像信号を表示する第２の表示ステップと
を有することを特徴とする画像処理方法。
【請求項７】
前記第１及び第２の表示ステップは、
表示手段の周辺光の色温度を測定し、測定した色温度に応じたホワイトバランス値を検出する検出ステップと、
前記検出されたホワイトバランス値を用いて、前記第１または第２ホワイトバランス補正ステップで補正された画像信号に対して更にホワイトバランス補正を行う表示ホワイトバランス補正ステップとを有し、
前記第１及び第２の表示ステップでは、前記表示ホワイトバランス補正ステップで更に補正された画像信号を表示することを特徴とする請求項５または６に記載の画像処理方法。
【請求項８】
請求項５乃至７のいずれかに記載の画像処理方法を実現するためのプログラムコードを有することを特徴とする情報処理装置が実行可能なプログラム。
【請求項９】
請求項８に記載のプログラムを記憶したことを特徴とする情報処理装置が読み取り可能な記憶媒体。
【発明の詳細な説明】
【技術分野】
【０００１】
本発明は、個体撮像素子を用いて画像を撮影するデジタルカメラなどの撮像装置及び撮像装置における画像処理方法に関する。
【背景技術】
【０００２】
デジタルカメラ等の個体撮像素子を用いる撮像装置では、撮影画像の記録にあたりホワイトバランス調整が必須である。このホワイトバランス調整の仕方には、何種類かの手法がある。
【０００３】
最も多く使われる手法は、オートホワイトバランス（ＡＷＢ）で、この手法は、取り込まれた撮影画像を撮像装置内部で解析して、最適なホワイトバランス補正値を算出し、算出されたホワイトバランス補正値を用いて、その撮影画像にホワイトバランス処理を施すものである。
【０００４】
また、プリセットホワイトバランス調整と呼ばれる手法があり、この手法は、工場出荷時などにおいて、撮像装置に例えば蛍光灯、白熱電球、屋外の光源といった異なる光源にそれぞれ対応するホワイトバランス補正値を予め記憶しておき、記憶しておいたホワイトバランス補正値の内、撮影者が指定したホワイトバランス補正値を用いてホワイトバランス処理を行うものである。
【０００５】
更に、ワンタッチホワイトバランス調整と呼ばれる手法があり、この手法では、撮影前にその撮影環境下で白色の被写体を撮影して予備測定を行ってホワイトバランス補正値を設定し、設定されたホワイトバランス補正値を用いて、撮影画像にホワイトバランス処理を行うものである。
【０００６】
図１は、上述したようなホワイトバランス調整機能を有する撮像装置を用いてスタジオにおいて人物撮影の様子を表す平面図で、スタジオ内には、架台１０４に搭載されたデジタルカメラ１０１、人物などの被写体１０５、被写体１０５の前後に配置された複数の照明装置（ストロボ装置）１０２ａ〜ｃ、背景装置１０３等が設置されている。なお、架台１０４としては、三脚等種々の構造のものを用いることができる。
【０００７】
照明装置１０２ａ〜ｃとしては、図２に示すような構成のストロボ装置が用いられ、このストロボ装置の前にディフュザーや反射傘を取り付けて、図１の１０２ａ〜ｃのように複数個配置する。
【０００８】
図２においてストロボ装置本体１１０には、閃光発光管１１４とモデリングランプ１１３が配設されており、これらのランプを保護するために破線で描画されたようなカバー１１２が設けられている。ストロボ装置は取り付け座１１１により不図示の三脚等に取り付けられ、図１に示すようにスタジオ内に複数個配設され、被写体１０５を照明する。
【０００９】
【特許文献１】特開２００４−１７９８５２号公報
【発明の開示】
【発明が解決しようとする課題】
【００１０】
図１に示すように複数の照明装置を用いて被写体を照明する場合、撮影者１０６はモデリングランプ１１３を常時点灯して照明光のバランスを見ながら各照明装置の配置を決める。モデリングランプ１１３としては、一般的に数百Ｗのハロゲンランプを使用することが多い。
【００１１】
撮影者１０６は照明のバランスを眼で確認するために、このモデリングランプ１１３を長時間点灯する。数百Ｗハロゲンランプの発熱量は非常に多く、沢山の照明装置を使用するとスタジオ内の気温が上昇してしまう。これを避けるために、ハロゲンランプにかける電圧を下げて使用するのが一般的である。ハロゲンランプは規定の電圧をかけることによって、５０００°Ｋの色温度で照明することができるが、電圧を下げてしまうとその色温度は非常に低いものとなってしまう。
【００１２】
このように色温度が非常に低い条件下で被写体を観察すると、照明光の配光のバランスは確認できるものの、被写体の色を確認することは難しくなってしまう。特に静物撮影の場合は被写体の色の確認は肉眼でも非常に行いにくく、カメラのファインダを覗いて構図や光線の配光などは確認できても、色のバランスの確認をすることは難しい。極端な表現をすれば、モデリングランプ１１３にかける電圧を下げることにより色温度が非常に低くなると、色温度の低いナトリウムランプの照明下で被写体を見ているような状態になる。
【００１３】
また、閃光発光管１１４は、デジタルカメラをレリーズする（本撮影指示）とそのシャッタに同調して閃光発光し、被写体１０５を照明する。この閃光発光管１１４にはキセノンランプが用いられ、その色温度は太陽光と同じ６５００°Ｋ程度である。
【００１４】
このように撮影前（プレビュー時）の照明光と本撮影時の照明光が異なる場合、従来のように１つのホワイトバランス補正値を用いてプレビュー画像と撮影画像の両方を補正しようとすると、どちらかの画質（一般的にはプレビュー画像）を犠牲にせざるを得ない。
【００１５】
本発明は上記問題点を鑑みてなされたものであり、プレビュー時の照明光と本撮影時の照明光が異なる場合に、撮影画像と同じ色味のプレビュー画像を確認できるようにすることを目的とする。
【課題を解決するための手段】
【００１６】
上記目的を達成するために、互いに異なる複数の色温度の光を発光する照明装置と連動して撮影可能な本発明の撮像装置は、入射光を光電変換して画像信号を出力する撮像手段と、前記複数の色温度にそれぞれ対応する複数のホワイトバランス値を記憶する記憶手段と、プレ撮影時には、プレ撮影で使用された光の色温度に対応する前記記憶手段に記憶されたホワイトバランス値を用い、本撮影時には、本撮影で使用された光の色温度に対応する前記記憶手段に記憶されたホワイトバランス値を用いて、前記撮像手段から出力された画像信号のホワイトバランス補正を行うホワイトバランス補正手段とを有し、前記ホワイトバランス補正手段によりホワイトバランス補正された画像信号を表示装置に出力する。
【００１７】
また、互いに異なる複数の色温度の光を発光する照明装置と連動して、入射光を光電変換して得られる画像信号を処理する本発明の画像処理方法は、前記複数の色温度にそれぞれ対応する複数のホワイトバランス値を記憶手段に記憶する記憶ステップと、プレ撮影で使用された光の色温度に対応する前記記憶手段に記憶されたホワイトバランス値を用いて、得られた画像信号のホワイトバランス補正を行う第１のホワイトバランス補正ステップと、前記第１のホワイトバランス補正ステップでホワイトバランス補正された画像信号を表示する第１の表示ステップと、本撮影で使用された光の色温度に対応する前記記憶手段に記憶されたホワイトバランス値を用いて、得られた画像信号のホワイトバランス補正を行う第２のホワイトバランス補正ステップと、前記第２のホワイトバランス補正ステップでホワイトバランス補正された画像信号を表示する第２の表示ステップとを有する。
【００１８】
また、別の構成によれば、互いに異なる複数の色温度の光を発光する照明装置と連動して撮影可能な本発明の撮像装置は、入射光を光電変換して画像信号を出力する撮像手段と、前記複数の色温度のうち、プレ撮影で用いられる光の色温度に対応するホワイトバランス値を記憶する記憶手段と、プレ撮影時には、前記記憶手段に記憶されたホワイトバランス値を用い、本撮影時には、本撮影で得られた画像に基づいて得られたホワイトバランス値を用いて、前記撮像手段から出力された画像信号のホワイトバランス補正を行うホワイトバランス補正手段とを有し、前記ホワイトバランス補正手段によりホワイトバランス補正された画像信号を表示装置に出力する。
【００１９】
また、互いに異なる複数の色温度の光を発光する照明装置と連動して、入射光を光電変換して得られる画像信号を処理する本発明の画像処理方法は、前記複数の色温度のうち、プレ撮影で用いられる光の色温度に対応するホワイトバランス値を記憶手段に記憶する記憶ステップと、前記記憶手段に記憶されたホワイトバランス値を用いて、プレ撮影で得られた画像信号のホワイトバランス補正を行う第１のホワイトバランス補正ステップと、前記第１のホワイトバランス補正ステップでホワイトバランス補正された画像信号を表示する第１の表示ステップと、本撮影で得られた画像信号に基づいてホワイトバランス補正を行う第２のホワイトバランス補正ステップと、前記第２のホワイトバランス補正ステップでホワイトバランス補正された画像信号を表示する第２の表示ステップとを有する。
【００２０】
また、前記撮像装置は前記表示装置を含み、好ましくは、前記表示手段の周辺光の色温度を測定し、測定した色温度に応じたホワイトバランス値を検出し、前記検出されたホワイトバランス値を用いて、前記ホワイトバランス補正手段により補正された画像信号に対して更にホワイトバランス補正を行い、前記表示手段は上記更に補正された画像信号を表示する。
【発明の効果】
【００２１】
本発明によれば、プレビュー時の照明光と本撮影時の照明光が異なる場合に、撮影画像と同じ色味のプレビュー画像を確認することができる。
【発明を実施するための最良の形態】
【００２２】
以下、添付図面を参照して本発明を実施するための最良の形態を詳細に説明する。
【００２３】
図３は、本発明の第１の実施形態におけるデジタルカメラ１００の構成を示す概略ブロック図である。図３において、１は被写体を結像させる撮影レンズ、２は入射被写体光像を電気信号に変換するＣＣＤ等の撮像素子、３は撮像素子２からの撮像信号の利得を制御しＡ／Ｄ変換するＡＧＣ・Ａ／Ｄ変換回路、４はホワイトバランス（ＷＢ）処理部５を含む信号処理回路である。
【００２４】
６は公知の方法によって、予めプレビュー用にモデリングランプ（本第１の実施形態では、一例としてハロゲンランプ）のホワイトバランス値を測定して設定された、第１カスタムホワイトバランス（ＷＢ）値を記憶する第１カスタムホワイトバランス（ＷＢ）値記憶部、７は公知の方法によって予め本撮影用に閃光発光管（本第１の実施形態では、一例としてキセノンランプ）のホワイトバランス値を測定して設定された、第２カスタムホワイトバランス（ＷＢ）値を記憶する第２カスタムホワイトバランス（ＷＢ）値記憶部である。なお、この第１及び第２カスタムＷＢ値記憶部６、７は、電源ＯＦＦとなった場合でも消失されないメモリ、例えばバックアップ電源付きのＲＡＭや、フラッシュメモリなどの書き換え可能なＲＯＭで構成される。
【００２５】
９は第１カスタムＷＢ値記憶部６と第２カスタムＷＢ値記憶部７との出力をホワイトバランス（ＷＢ）処理部５に切り替え入力するためのホワイトバランス（ＷＢ）入力切替スイッチである。プレビュー時には第１カスタムＷＢ値記憶部６を選択し、本撮影時には第２カスタムＷＢ値記憶部７を選択するようにＣＰＵ２１により制御される。
【００２６】
１３はＷＢ処理部５によりホワイトバランス処理された画像データを記憶する画像メモリ、１４は画像メモリ１３から読み出した画像データを圧縮処理する圧縮回路、１５は圧縮処理された画像データをメモリカードなどのメディア１６に記録したり、メディア１６から画像データを読み出すための記録・読み出し部、１７はメディア１６から読み出した画像データを伸長処理する伸長回路である。なお、伸長回路１７により伸長された画像データは、画像メモリ１３に記憶されて、再生画像として表示される。
【００２７】
１９は画像や各種表示を行うモニタ、１８はモニタ１９への表示制御を行う表示回路、１２はＷＢ処理部５から出力されるプレビュー画像と、画像メモリ１３に記憶された本撮影により得られた撮影画像及びメディア１６から読み出された再生画像とを表示用ホワイトバランス（ＷＢ）処理部２６に切り替え入力するための表示切替スイッチ、２５はモニタ１９周囲の光源色温度を測定するためのホワイトバランス（ＷＢ）検出部である。表示用ＷＢ処理部２６は、モニタ１９を照明する光源の色温度によって、モニタ１９に表示される画像の色が異なって見えるために、モニタ１９により表示される画像が適切な色味の画像として観察できるように、ＷＢ検出部２５により測定されたモニタ１９周辺の光源色温度に応じて、表示用にホワイトバランス処理を行うものである。
【００２８】
２１は各構成部材を制御するためのＣＰＵ、２２はＣＰＵ２１に各種入力を行うためのレリーズボタンやモードダイヤルなどを含む操作入力部で、第１及び第２カスタムＷＢ値記憶部６、７に記憶するカスタムホワイトバランス値の登録や、レリーズボタンの押下による撮影開始指示などの指示を行うことができる。
【００２９】
２０はストロボ撮影のための外部ストロボ装置であって、ＣＰＵ２１が撮影タイミングとの同期制御を行う。ストロボ装置は例えば、図２に示すような構成を有する。また、本第１の実施形態においては、上記構成を有するデジタルカメラ１００と、少なくとも１つのストロボ装置が、例えば図１に示すように配置される。２４はＩ／Ｆ２３を介してＣＰＵ２１に接続される外部ＰＣである。
【００３０】
次に、デジタルカメラ１００の撮影動作について、図４及び図５のフローチャートを参照しながら説明する。
【００３１】
ステップＳ１１で撮影者１０６によって操作入力部２２のメインスイッチがオンされると、デジタルカメラ１００内のＣＰＵ２１はスリープ状態から制御状態に起動され、デジタルカメラ１００内の各回路に電源が投入され、ステップＳ１２において、モニタ１９に初期画面が表示される。ここでは撮影者１０６による撮影モードの選択などが許可される。
【００３２】
ステップＳ１３では撮影者１０６による操作を待ち、入力操作部２２により撮影者１０６が操作を行うと、ステップＳ１４において、カスタムホワイトバランス（ＷＢ）モードが設定されたかどうかを判断する。カスタムＷＢモードは本実施の形態に特徴的なモードで、入力操作部２２のモードダイヤルなどにより設定することができる。カスタムＷＢモードが設定されていればステップＳ１５に進み、それ以外の操作であれば、ステップＳ３０で電源ＯＦＦ操作かどうかを判断する。電源ＯＦＦ操作の場合、ステップＳ３１において必要なパラメータや制御情報などの必要な情報を内部メモリ（不図示）に記憶するなどの電源ＯＦＦ処理を行ってから、必要な回路以外への電力供給を停止し、処理を終了する。一方、電源ＯＦＦ操作でない場合には、ステップＳ３２に進んで操作に応じた処理を行い、ステップＳ１３に戻って撮影者１０６による次の操作を待つ。
【００３３】
ステップＳ１４でカスタムＷＢモードが設定されたと判断されると、ステップＳ１５において、プレビュー用ＷＢ補正値（第１カスタムＷＢ値）と本撮影用ＷＢ補正値（第２カスタムＷＢ値）を、公知のカスタムホワイトバランスを求める手法により求め、それぞれ第１及び第２カスタムＷＢ値記憶部６、７に設定される。
【００３４】
続いてステップＳ１６において、入力操作部２２のレリーズボタン操作（例えば半押し）に連動した撮影準備スイッチＳＷ１がオン操作されたか否かを判別する。ＳＷ１がオン操作されていなければ、カスタムＷＢモード以外のモードに変更されたかをステップＳ３３で確認し、変更されていなければステップＳ１６に戻ってＳＷ１のオン操作判断を繰り返し、変更されていれば、ステップＳ３０に進んで上述した処理を行う。
【００３５】
一方、ステップＳ１６において、ＳＷ１がオン操作された場合はステップＳ１７に進み、プレ撮影が開始される。まず、ステップＳ１７では、ＣＰＵ２１がＷＢ入力切り替えスイッチ９を制御して第１カスタムＷＢ値記憶部６を選択することで、ステップＳ１５で設定された第１カスタムＷＢ値を選択し、撮像素子２から得られる画像信号に対してハロゲン光（に対応したＷＢ処理を行う。更に、ステップＳ１８において、ＷＢ検出部２５はモニタ１９周辺の色温度を測定し、測定した色温度に応じた表示用のＷＢ値を取得し、取得した表示用のＷＢ値を用いて表示用のＷＢ補正を行ってから、ステップＳ１９でモニタ１９にプレビュー画像を表示する。
【００３６】
このように、ハロゲン光下で撮像素子２により撮影されたプレビュー画像をハロゲン光に応じたホワイトバランス補正した画像を、モニタ１９の設置環境に応じて更にホワイトバランス処理を行ってからモニタ１９に表示することで、撮影者１０６は、本撮影でフラッシュ光により撮影した画像と同じ色味の画像を確認することができる。
【００３７】
次に、ステップＳ２０では測光・測距を実行する。測光は、撮像素子２で取得した被写体信号から被写体輝度を算出する公知の方法により行い、測距は公知のオートフォーカスの手法を用いて行う。
【００３８】
そして、ステップＳ２１において、入力操作部２２のレリーズボタン操作（例えば全押し）に連動するＳＷ２がオン操作されたか否かを判定する。そしてＳＷ２がオン操作されていなければ、ステップＳ１６に戻る。
【００３９】
一方、ＳＷ２がオン操作されるとステップＳ２２に進んで本撮影が開始され、まず、ステップＳ２０の測光・測距により設定された絞り値に応じて不図示の絞り機構を駆動し、同じく設定されたシャッタースピードに基づいてシャッター機構を制御する。
【００４０】
ステップＳ２３では、ＣＰＵ２１がＷＢ入力切り替えスイッチ９を制御して第２カスタムＷＢ値記憶部７を選択することで、ステップＳ１５で設定された第２のカスタムＷＢ値を選択し、撮像素子２から得られる画像信号に対してストロボ光に対応したＷＢ処理を行ってから、画像メモリ１３に記録する。そしてステップＳ２４において、画像メモリ１３に記憶された撮影画像に対して圧縮処理などの所定の画像処理を行ってから、メディア１６に記録する。更に、ステップＳ２５でモニタ１９周辺の色温度を測定し、測定した色温度に応じた表示用のＷＢ値を取得し、取得した表示用のＷＢ値を用いて、画像メモリ１３に記憶された撮影画像に対して表示用のＷＢ補正を行ってから、ステップＳ２６でモニタ１９に表示する。なお、ステップＳ２４の記録処理はステップＳ２６の撮影画像の表示後に行っても、または表示処理と並行して行ってもよい。
【００４１】
これにより、キセノン光下で撮像素子２により撮影された撮影画像をキセノン光に応じたホワイトバランス補正した画像を、モニタ１９の設置環境に応じて更にホワイトバランス処理を行ってからモニタ１９に表示することで、撮影者１０６に対してどのような写真が撮影されたかを報知することができる。
【００４２】
ステップＳ２７では、撮影画像の表示を切るかどうかを判断し、切る場合はステップＳ１６に戻る。なお、ステップＳ２７の判断は、表示開始から予め設定した時間経過後に表示を停止する用にしても良いし、不図示の操作スイッチにより撮影者１０６が表示を停止するようにしてもよい。
【００４３】
上記の通り本第１の実施形態によれば、プレビュー時の照明光と本撮影時の照明光が異なる場合に、撮影画像と同じ色味のプレビュー画像を確認することができる。
【００４４】
なお、上記第１の実施形態においては、プレビュー時にはハロゲンランプを用いて、また、本撮影時にはキセノンランプを用いて撮影を行う場合について説明したが、使用する光源の種類はこれらに限られるものではないことは言うまでもない。
【００４５】
＜第２の実施形態＞
次に、本発明の第２の実施形態について説明する。
【００４６】
上記第１の実施形態では、プレビュー用ＷＢ補正値と、本撮影用ＷＢ補正値とを予め第１及び第２カスタムＷＢ値記憶部６、７に設定しておき、プレビュー時と撮影時とで異なるＷＢ値を第１及び第２カスタムＷＢ値記憶部６，７から読み出してＷＢ処理を行う場合について説明した。これに対し、本第２の実施形態ではプレビュー時には予め設定されたＷＢ値を用い、本撮影時には撮影した画像からＡＷＢモードで検出して取得されたＷＢ値を用いる。
【００４７】
本第２の実施形態におけるデジタルカメラの基本構成を図６に示す。なお、図６において、図３と同様の構成には同じ参照番号を付し、説明を省略する。
【００４８】
図６に示すように、６’は第１の実施形態と同様に公知の方法によって予めプレビュー用にモデリングランプ（ハロゲンランプ）のホワイトバランス値を測定して設定されたカスタムＷＢ値を記憶しているカスタムＷＢ値記憶部、８は、撮影画像からホワイトバランス値を検出するＷＢ値検出部である。プレビューか本撮影かに応じてＣＰＵ２１から出力される制御信号に基づいて、カスタムＷＢ値記憶部６’及びＷＢ値検出部８のいずれかの出力がＷＢ入力切替スイッチ９により選択されて、ホワイトバランス処理部５に送られる。プレビュー画像時にはカスタムＷＢ値記憶部６’が、撮影画像時にはＷＢ値検出部８が選択される。
【００４９】
上記構成を有する本第２の実施形態のデジタルカメラにおいては、上記第１の実施形態において説明した図４のステップＳ１５において、本撮影用のカスタムＷＢ値の取得設定を行わず、プレビュー用にモデリングランプ（ハロゲンランプ）のホワイトバランス値を測定してカスタムＷＢ値記憶部６’に設定し、ステップＳ１７においてカスタムＷＢ値を選択し、更に、図５のステップＳ２４において第２カスタムＷＢ値を選択する代わりに、ＷＢ値検出部８が公知の方法により撮影画像から自動的にＷＢ値を取得し、取得したＷＢ値が選択される。
【００５０】
上記以外の動作は第１の実施形態と同様であるため、ここでは説明を省略する。
【００５１】
このように、本第２の実施形態によれば、本撮影で得られた撮影画像に対して、より適応的なＷＢ補正を行うことが可能になる。
【００５２】
なお、上記第１及び第２実施形態において、モニタ１９はデジタルカメラ１００に搭載されているものとして説明しているが、デジタルカメラ１００に搭載されていなくてもよく、例えば、デジタルカメラに接続されたパソコンのモニタ画面であっても構わない。
【００５３】
＜他の実施形態＞
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００５４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００５５】
【図１】照明装置を用いてデジタルカメラにより撮影を行うスタジオの様子を示す平面図である。
【図２】図１で用いられる照明装置のストロボ装置の斜視図である。
【図３】本発明の第１の実施形態におけるデジタルカメラの概略構成を示すブロック図である。
【図４】本発明の第１の実施形態におけるデジタルカメラの動作を説明するフローチャートである。
【図５】本発明の第１の実施形態におけるデジタルカメラの動作を説明するフローチャートである。
【図６】本発明の第２の実施形態におけるデジタルカメラの概略構成を示すブロック図である。
【符号の説明】
【００５６】
１：撮影レンズ、２：撮像素子、３：ＡＧＣ・Ａ／Ｄ変換回路、４：信号処理回路、５：ホワイトバランス処理部、６：第１カスタムホワイトバランス値記憶部、６’：カスタムホワイトバランス値記憶部、７：第２カスタムホワイトバランス値記憶部、８：カスタムホワイトバランス値記憶部、９：ホワイトバランス入力切替スイッチ、１２：表示切替スイッチ、１３：画像メモリ、１４：圧縮回路、１５：記録・読み出し部、１６：メディア、１７：伸長回路、１８：表示回路、１９：モニタ、２０：外部ストロボ装置、２１：ＣＰＵ、２２：操作入力部、２３：Ｉ／Ｆ、２４：外部ＰＣ、２５：ホワイトバランス検出部、２６：表示用ホワイトバランス処理部、１００、１０１：デジタルカメラ、１０２ａ〜ｃ：照明装置（ストロボ装置）、１０３：背景装置、１０４：架台、１０５：被写体、１０６：撮影者
【図１】
2006303833.tif 000003
【図２】
2006303833.tif 000004
【図３】
2006303833.tif 000005
【図４】
2006303833.tif 000006
【図５】
2006303833.tif 000007
【図６】
2006303833.tif 000008